(57)【要約】【課題】施錠装置の施解錠状態を電子キー側で確認可能なスマート操作による施解錠システムを提供することを目的とする。【解決手段】建物１０には、玄関口１５を開閉する玄関ドア１６が設けられ、その玄関ドア１６には、屋内側に施錠装置２１、屋外側にドアハンドル１７が設けられている。ドアハンドル１７には、人が触れたことを検出するタッチセンサが内蔵された施解錠ボタン１８が設けられている。コントローラは、施解錠ボタン１８により接触が検出された場合に、通信装置２３により受信した電子キー３０からのＩＤ情報に基づき、施錠装置２１を施解錠する。施解錠後、施錠装置２１の施解錠状態が施解錠情報として電子キー３０に送信される。電子キー３０には、受信した施解錠情報を記憶する記憶部と、表示灯３５と、確認スイッチ３４とが設けられている。居住者は、確認スイッチ３４を操作することで施解錠情報を表示灯３５にて表示させることができる。【選択図】      図１
2019157413.tif 000002
【特許請求の範囲】
【請求項１】
出入口を開閉する開閉体を施錠するための施錠装置と、
ユーザにより携帯され、固有の識別情報を送信する電子キーと、
前記出入口付近の所定範囲を通信エリアとして前記電子キーとの間で無線通信可能とされている通信装置と、
前記施錠装置の施解錠を制御する施解錠制御手段と、を備え、
前記施解錠制御手段は、前記通信装置からのリクエスト信号を前記通信エリア内において前記電子キーが受信したことに起因して、前記電子キーから前記識別情報が前記通信装置に送信され、前記識別情報が認証されることに基づいて施解錠を制御するスマート施解錠制御手段を備える施解錠システムであって、
前記電子キーは、前記識別情報の送信を制御するキー制御手段と、施解錠に関する施解錠情報を記憶するキー記憶手段と、前記施解錠情報を表示するキー表示手段と、前記キー表示手段における表示態様を切換えるために操作されるキー表示操作手段と、を備え、
前記スマート施解錠制御手段により前記施錠装置が施解錠された場合、前記施解錠情報として前記施錠装置の施解錠状態が、前記通信装置を通じて前記電子キーに送信され、
前記キー制御手段は、受信した前記施解錠情報を前記キー記憶手段に記憶させるキー情報制御手段と、前記キー表示操作手段が操作された場合に前記キー記憶手段に記憶された前記施解錠情報のうち、最新の施解錠情報を前記キー表示手段に表示させるキー表示制御手段と、を備える、施解錠システム。
【請求項２】
複数の前記電子キーと、
前記出入口付近に設けられ、前記施錠装置の施解錠について報知する報知手段と、を備え、
前記スマート施解錠制御手段は、前記通信装置により受信される前記識別情報に基づいて、前記通信装置との通信エリア内に存在する前記電子キーが複数の前記電子キーのうちのいずれであるかを特定する特定手段を備えており、
前記スマート施解錠制御手段により前記施錠装置が施解錠された場合に、
前記スマート施解錠制御手段は、前記特定手段により特定された前記電子キーによって施解錠が実行されたことをユーザに認識可能に前記報知手段により報知する、請求項１に記載の施解錠システム。
【請求項３】
前記電子キーは、施錠又は解錠用の操作信号を前記識別情報とともに送信するためのリモート操作手段を備え、
前記キー制御手段は、前記リモート操作手段が操作されたことに基づいて前記操作信号及び前記識別情報を送信し、
前記施解錠制御手段は、前記通信装置により受信される前記電子キーからの前記操作信号及び前記識別情報を受信して、前記識別情報が認証されることに基づいて施解錠を制御するリモート施解錠制御手段を備え、
前記キー情報制御手段は、前記操作信号を送信した場合に、送信した前記操作信号に基づいた前記施錠装置の施解錠状態を前記施解錠情報として前記キー記憶手段に記憶させる、請求項１又は２に記載の施解錠システム。
【請求項４】
前記キー表示手段において、前記通信装置を通じて受信した前記施解錠情報と、前記操作信号に基づいた前記施解錠情報とが、識別されて表示される、請求項３に記載の施解錠システム。
【請求項５】
前記電子キーは、前記リモート操作手段による操作を有効な状態に切換えるために操作されるリモート切換手段を備え、
前記キー制御手段は、前記リモート操作手段と前記リモート切換手段とが操作されたことに基づいて、前記操作信号及び前記識別情報を送信する、請求項３又は４に記載の施解錠システム。
【請求項６】
前記電子キーにおいて、前記キー表示操作手段と前記リモート切換手段とがひとつの操作部として設けられている、請求項５に記載の施解錠システム。
【発明の詳細な説明】
【技術分野】
【０００１】
本発明は、施解錠システムに関する。
【背景技術】
【０００２】
住宅等の建物では、無線機能を有する電子キーを用いてドアに設けられた施錠装置の施解錠を行う施解錠システムが実用化されている。上記電子キーには施解錠用の操作スイッチが設けられ、操作スイッチを操作することにより電子キーから操作信号が送信され、施錠装置から離れた位置での施解錠が可能となっている。このため、ユーザが建物に入る際、リモート操作によって施錠装置を解錠することができ、便利である。そして、このような施解錠システムにおいて、施錠装置の施錠状態又は解錠状態を、電子キー側で確認できるようにする技術が提案されている（例えば、特許文献１）。
【先行技術文献】
【特許文献】
【０００３】
【特許文献１】特開２０１５−１７８７３８号公報
【発明の概要】
【発明が解決しようとする課題】
【０００４】
上記特許文献１の技術は、電子キーのリモート操作により施錠装置を施解錠した後、施錠装置側からその施錠装置の施解錠状態に関する情報を施錠装置から離れた場所にいる電子キーに送信する。電子キーは施解錠状態に関する情報を受信すると、その情報に基づいて施解錠状態を電子キーに設けられたランプで表示する。電子キーは、ランプの点灯する色により施錠状態と解錠状態とを識別して表示できるようになっている。これにより、電子キー側で施錠装置の施解錠状態が確認できる。したがって、上記特許文献１の技術では、電子キーのリモート操作が可能とされる約１０ｍの通信距離において双方向通信が行われ、施錠装置側にも遠隔へ情報送信できるような通信装置（アンテナ）が設けられている。
【０００５】
一方、近年の施解錠システムでは、玄関ドアの屋外側に設けられたドアノブにタッチセンサを内蔵する施解錠ボタンが設けられ、当該施解錠ボタンに接触することでセンサに検出されて、施錠装置が施解錠されるものが知られている。このシステムでは、電子キーを携帯した居住者が建物に入るために玄関ドアに近づき、当該ドア付近に設けられた通信装置の通信エリア内に入ると、通信装置からのリクエスト信号を受信する。電子キーは、リクエスト信号に応答してアンサ信号として電子キー固有の識別情報を、何らの操作も要することなく自動的に通信装置へ発信する。そして、建物側では通信装置を介して受信したその識別情報に基づいて居住者であるか否かの認証が行われ、その認証により居住者であることが判定されるとともに、居住者が施解錠ボタンに触れたことがタッチセンサにより検出されると、玄関ドアに設けられた施錠装置が施解錠される。このような施解錠システムは、電子キーを手に取ることなく施解錠できるためキーフリー操作（キー操作フリーシステムの略称）又はスマート操作と称されている（以下、「スマート操作」と称する）。
【０００６】
スマート操作による施解錠システムにおいては、通信装置による通信エリア内は電子キーと施錠装置側とが双方向通信できる。一般的な住宅に設けられる施解錠システムでは、防犯上の観点から当該通信エリアは玄関ドア付近に設けられた通信装置から半径１ｍ程度に制限されている。すなわち、一般的なスマート操作による施解錠システムには、遠隔における双方向通信のための通信装置が設置されていない。
【０００７】
スマート操作による施解錠は利便性に優れるが、施解錠ボタンの接触のみで施解錠されるため、実際に施錠されたのか又は解錠されたのかが施解錠者には分かりにくい。
【０００８】
本発明は、かかる事情に鑑みてなされたものであり、スマート操作による施錠装置の施解錠状態を電子キー側で確認可能な施解錠システムを提供することを目的とする。
【課題を解決するための手段】
【０００９】
上記課題を解決すべく、第１の発明の施解錠システムは、
出入口を開閉する開閉体を施錠するための施錠装置と、
ユーザにより携帯され、固有の識別情報を送信する電子キーと、
前記出入口付近の所定範囲を通信エリアとして前記電子キーとの間で無線通信可能とされている通信装置と、
前記施錠装置の施解錠を制御する施解錠制御手段と、を備え、
前記施解錠制御手段は、前記通信装置からのリクエスト信号を前記通信エリア内において前記電子キーが受信したことに起因して、前記電子キーから前記識別情報が前記通信装置に送信され、前記識別情報が認証されることに基づいて施解錠を制御するスマート施解錠制御手段を備える施解錠システムであって、
前記電子キーは、前記識別情報の送信を制御するキー制御手段と、施解錠に関する施解錠情報を記憶するキー記憶手段と、前記施解錠情報を表示するキー表示手段と、前記キー表示手段における表示態様を切換えるために操作されるキー表示操作手段と、を備え、
前記スマート施解錠制御手段により前記施錠装置が施解錠された場合、前記施解錠情報として前記施錠装置の施解錠状態が、前記通信装置を通じて前記電子キーに送信され、
前記キー制御手段は、受信した前記施解錠情報を前記キー記憶手段に記憶させるキー情報制御手段と、前記キー表示操作手段が操作された場合に前記キー記憶手段に記憶された前記施解錠情報のうち、最新の施解錠情報を前記キー表示手段に表示させるキー表示制御手段と、を備えることを特徴とする。
【００１０】
第１の発明によれば、識別情報に基づいて施錠装置が施解錠された場合、施錠装置の施解錠状態を示す施解錠情報（換言すれば、施錠装置がスマート操作により施解錠されたという施解錠情報）が、通信エリア内で通信装置を通じて電子キーに送信される。すなわち、通信装置が電子キーから識別情報を受信するための通信エリア内で、施解錠情報が電子キーに送信される。
【００１１】
そうして、電子キーは施解錠情報を受信して、当該施解錠情報をキー記憶手段に記憶する。キー記憶手段に記憶された施解錠情報は、キー表示操作手段による操作に基づいてキー表示手段に表示される。この際、キー記憶手段に記憶された施解錠情報のうち、最新の施解錠情報が表示される。これにより、例えば、スマート操作により施錠装置を施錠して外出した居住者は、外出先で自身が行った施錠装置の施解錠状態を電子キー側で確認できる（この場合は「施錠状態」と表示される）。
【００１２】
スマート操作による施解錠は、電子キーを携帯する居住者の行う操作が簡易であるため「施錠した」という感覚が希薄である。そのため、外出先で自身が外出する際に施錠を行ったかどうか不安に感じる場合がある。このような場合において、第１の発明によれば、電子キー側で施錠装置の施解錠状態が確認できる。例えば「施錠状態」と表示されていれば、居住者は安心を得ることができるし、「解錠状態」と表示されていれば、他の居住者に施錠装置の施解錠状態について確認を求めることができる。
【００１３】
第２の発明の施解錠システムは、第１の発明において、
複数の前記電子キーと、
前記出入口付近に設けられ、前記施錠装置の施解錠について報知する報知手段と、を備え、
前記スマート施解錠制御手段は、前記通信装置により受信される前記識別情報に基づいて、前記通信装置との通信エリア内に存在する前記電子キーが複数の前記電子キーのうちのいずれであるかを特定する特定手段を備えており、
前記スマート施解錠制御手段により前記施錠装置が施解錠された場合に、
前記スマート施解錠制御手段は、前記特定手段により特定された前記電子キーによって施解錠が実行されたことをユーザに認識可能に前記報知手段により報知することを特徴とする。
【００１４】
例えば、複数の居住者らがそれぞれ電子キーを携帯して同時に外出しようとした場合、通信エリア内に複数の電子キーが存在することがありうる。このような場合、複数のうち、ひとつの電子キーについてのみ認証が実施され、その認証に基づき施錠装置が施錠される。よって、その他の電子キーは認証されておらず、施錠装置の施錠に関与していない。このような場合に、どの電子キーが認証されたのかについてこれまで知ることができなかった。
【００１５】
第２の発明によれば、複数の電子キーのうち認証された電子キーを特定する。そうして特定された電子キーは、出入口付近に設けられた報知手段により報知される。そのため、出入口付近にいる居住者は、認証された電子キーがどれであるのか（換言すれば、どの居住者の携帯する電子キーであるのか）を知ることができる。
【００１６】
本施解錠システムでは、施錠装置が電子キー認証（識別情報）に基づいて施錠された後、施錠装置の施解錠状態を示す施解錠情報が送信される。この際、通信エリア内にいる電子キーは施解錠情報を受信できる。したがって、認証された電子キーでなくとも施解錠情報は受信できるが、居住者らはそれぞれが携帯する電子キーが通信エリア内に存在するか否かは判断できないため、その最新の施解錠情報を電子キーが受信できたのか否かも判断できない。
【００１７】
報知手段により報知された電子キーは、通信エリア内に存在しているため最新の施解錠情報を確実に受信する。よって、報知された電子キーは、キー表示操作手段による操作により最新の施解錠情報が表示できる。すなわち、第２の発明によれば、最新の施解錠情報を確実に受信した電子キーが特定できる。
【００１８】
第３の発明の施解錠システムは、第１又は２の発明において、
前記電子キーは、施錠又は解錠用の操作信号を前記識別情報とともに送信するためのリモート操作手段を備え、
前記キー制御手段は、前記リモート操作手段が操作されたことに基づいて前記操作信号及び前記識別情報を送信し、
前記施解錠制御手段は、前記通信装置により受信される前記電子キーからの前記操作信号及び前記識別情報を受信して、前記識別情報が認証されることに基づいて施解錠を制御するリモート施解錠制御手段を備え、
前記キー情報制御手段は、前記操作信号を送信した場合に、送信した前記操作信号に基づいた前記施錠装置の施解錠状態を前記施解錠情報として前記キー記憶手段に記憶させることを特徴とする。
【００１９】
第３の発明によれば、リモート操作により施錠装置を施解錠して、電子キー側でその施錠装置の施解錠状態を確認する場合、操作信号の送信という電子キー側の操作に基づいて、施解錠情報が電子キーのキー記憶手段に記録される。これにより、施錠装置側は、リモート操作により操作信号を送信した離れた場所にいる電子キーへ情報を送信する必要がない。換言すれば、リモート操作可能な電子キーの操作範囲（約１０ｍ）において双方向通信である必要がない。第３の発明によれば、リモート操作により施錠装置が施解錠された場合であっても、電子キー側で、施解錠情報（操作信号に基づいた施錠装置の施解錠状態）が表示でき、これにより居住者にとってはリモート操作による操作を行ったことが後から確認できる。
【００２０】
第４の発明によれば、第３の発明において、
前記キー表示手段において、前記通信装置を通じて受信した前記施解錠情報と、前記操作信号に基づいた前記施解錠情報とが、識別されて表示されることを特徴とする。
【００２１】
第４の発明によれば、電子キーにおいて表示される施解錠情報が、通信装置を通じて受信した施錠装置の施解錠状態を示す施解錠情報（すなわち、スマート操作により行われた施解錠）と、電子キーが送信した操作信号に基づいた施錠装置の施錠状態を示す施解錠情報（すなわち、リモート操作により行われた施解錠）とで識別されて表示される。したがって、電子キーのキー表示手段により施解錠情報を表示させることで、居住者は自身が最後に関与した施錠装置の施解錠について、スマート操作による施解錠、又はリモート操作による施解錠のどちらであったかを確認できる。
【００２２】
例えば、居住者が意図せずに電子キーを誤って操作してしまい、リモート操作による解錠操作を行う場合がある。このような場合、自身が関与したと認識する施解錠（例えば、外出する際にスマート操作により施錠した「スマート操作による施錠状態」）と、電子キーに表示される施解錠情報（この場合は「リモート操作による解錠状態」）とが異なる。そのため、居住者がキー表示手段による施解錠情報を確認することで、電子キーの誤操作に気付くことができる。これにより、その居住者は、在宅する居住者等の他の居住者に施解錠状態について連絡を取る等の行動をとることができ、防犯性に優れる。
【００２３】
第５の発明によれば、第３又は第４の発明において、
前記電子キーは、前記リモート操作手段による操作を有効な状態に切換えるために操作されるリモート切換手段を備え、
前記キー制御手段は、前記リモート操作手段と前記リモート切換手段とが操作されたことに基づいて、前記操作信号及び前記識別情報を送信することを特徴とする。
【００２４】
第５の発明によれば、施錠又は解錠用の操作信号がリモート操作手段を操作したのみでは送信されず、リモート操作手段とリモート切換手段とが操作されることで施錠又は解錠用の操作信号が送信される。電子キーのリモート操作は、遠隔から施錠装置の施解錠を行うことができるため利便性に優れるが、その一方で気づかぬうちにリモート操作手段を操作する操作ミスをして、意図せず施錠装置が解錠されるおそれがある。第５の発明によれば、施錠装置をリモート操作するためには２つの段階を経る（２つの手段を操作する）ことが必要であるため、そのような操作ミスが生じにくい。すなわち、リモート切換手段は、誤操作防止の役割を果たしている。これにより、誤操作が防止され、防犯性に優れる。
【００２５】
第６の発明によれば、第５の発明において、
前記電子キーにおいて、前記キー表示操作手段と前記リモート切換手段とがひとつの操作部として設けられていることを特徴とする。
【００２６】
第６の発明によれば、電子キーに設けられたひとつの操作部が、施解錠情報を表示するためのキー表示操作手段と、誤操作防止のためのリモート切換手段として兼用される。施解錠情報を表示するキー表示手段の表示態様を切り換えるためのキー表示操作手段は、施錠又は解錠の操作信号を送信するリモート操作手段とは異なり、直接的に施錠装置の施解錠に関与しない。すなわち、キー表示操作手段は、例えば誤操作されたとしてもリモート操作による施解錠は行われず、防犯性に問題を生じない操作手段である。このようなキー表示操作手段に誤操作防止としての新たな機能を付与する（換言すれば、リモート切換手段と兼用させる）ことで、電子キーにおいて新たなスペースを必要とせずに、リモート操作による施解錠の防犯性をさらに高めることができる。
【図面の簡単な説明】
【００２７】
【図１】玄関周辺を示す平面図。
【図２】施解錠システムの電気的構成を示す図。
【図３】スマート操作により施錠装置を施解錠する施錠装置側の制御処理を示すフローチャート。
【図４】スマート操作による施解錠情報を記録する電子キー側の制御処理を示すフローチャート。
【図５】リモート操作による施解錠情報を記録する電子キー側の制御処理を示すフローチャート。
【図６】施解錠情報を表示する電子キー側の制御処理を示すフローチャート。
【発明を実施するための形態】
【００２８】
以下に、本発明を具体化した一実施の形態について図面を参照しつつ説明する。なお、図１は玄関周辺を示す平面図である。
【００２９】
図１に示すように、建物１０には、屋内スペースとして、玄関部１１、廊下１２、居室１３等が設けられている。玄関部１１には、出入口としての玄関口１５が設けられている。この玄関口１５を通じて建物１０への出入りが可能となっている。また、玄関口１５には、開閉体としての玄関ドア１６が設けられている。玄関ドア１６は、例えば回動式の開き戸からなる。この玄関ドア１６により玄関口１５が開閉されるようになっている。なお、玄関ドア１６は、引き戸であってもよい。
【００３０】
玄関ドア１６には、屋外側に取っ手としてのドアハンドル１７が設けられ、ドアハンドル１７には施解錠ボタン１８が設けられている。施解錠ボタン１８には、人が接触したことを検出するタッチセンサが内蔵されている（図示せず）。
【００３１】
玄関ドア１６には、施錠装置２１が設けられている。施錠装置２１は、錠前を電気的に施解錠することで玄関ドア１６の施錠（ロック）及び解錠（アンロック）を行う装置である。施錠装置２１は、建物１０の居住者が携帯する電子キー３０によって施解錠されるようになっている。また、施錠装置２１は、屋内側（玄関部１１側）から施解錠操作が可能なサムターン部２１ａを有している。本実施形態では、施錠装置２１を屋内側から施解錠する場合には、このサムターン部２１ａを操作することにより施解錠する。
【００３２】
施錠装置２１には、施解錠検知センサ２２が内蔵されている。施解錠検知センサ２２は、施錠装置２１が施錠状態にあるか又は解錠状態にあるかを検知するセンサである。
【００３３】
玄関ドア１６付近の屋外側（玄関ドア１６の屋外側の面でも可）には、通信装置２３が設けられている。通信装置２３は、ＬＦ帯の電波を発信可能なＬＦアンテナと、ＲＦ電波（例えば、ＵＨＦ帯の電波）を受信可能なＲＦチューナとを備えている（図示せず）。通信装置２３は、ＬＦアンテナからリクエスト信号を発信して、無線通信用の通信エリアＣＡを形成する。通信装置２３における通信エリアＣＡは、平面視において通信装置２３を中心とする円形の所定範囲であり、その範囲が玄関口１５の屋内側及び屋外側に跨がるように設定されている。詳しくは、通信装置２３の通信エリアＣＡは、玄関ドア１６の屋外側で住人がドアハンドル１７をつかんだ場合、住人が当該通信エリアＣＡ内に位置するように設定されている。通信装置２３は、その通信エリアＣＡ内にて電子キー３０と双方向での通信が可能とされている。
【００３４】
電子キー３０には、操作部３１として、施錠用の施錠スイッチ３２と、解錠用の解錠スイッチ３３と、確認スイッチ３４とが設けられている。施錠用の施錠スイッチ３２と、解錠用の解錠スイッチ３３とは、リモート操作により施錠装置２１を施解錠するために用いられる。確認スイッチ３４は、上記リモート操作を行う際の誤操作防止のための確認用スイッチ、及び後述する施解錠情報を表示する際の操作スイッチとして用いられる。電子キー３０は、表示灯３５を備えており、後述の施解錠情報を表示するために用いられる。
【００３５】
玄関ドア１６付近の屋外側（玄関ドア１６の屋外側の面でも可）には、スピーカ２４が設けられている。
【００３６】
続いて、施解錠システムの電気的構成について図２に基づいて説明する。図２は、施解錠システムの電気的構成を示す図である。
【００３７】
図２に示すように、施解錠システムは、施解錠制御手段としてのコントローラ４１を備える。コントローラ４１は、ＣＰＵ等を有する周知のマイクロコンピュータを備えて構成され、例えば玄関部１１の壁面に設けられている。コントローラ４１は、少なくとも、施解錠の制御やスマート操作による施解錠の際に施解錠情報の送信を制御する制御部４２と、電子キー認証のためのＩＤ情報（識別情報）や各種センサ類からの検出結果等を記憶する記憶部４３と、時間を計測する場合に用いられるタイマ４４と、を有している。
【００３８】
なお、本実施形態では、記憶部４３において、ＩＤ情報はそれぞれ登録番号を付けて記憶されている。例えば、建物１０には、２人の居住者が住んでおり、各自が電子キー３０を保有しているとする。この場合、ＩＤ情報「１２３４５６７８」に対して登録番号「１」とされ、ＩＤ情報「４３２１４３２１」に対して登録番号「２」とされる。
【００３９】
コントローラ４１には、通信装置２３が接続されている。通信装置２３は、建物１０に居住する各住人の携帯する電子キー３０とそれぞれ無線通信が可能とされている。この場合、コントローラ４１は、通信装置２３を介して各住人の電子キー３０と無線通信が可能とされている。
【００４０】
電子キー３０には、上述した操作部３１と表示灯３５との他に、制御部３６と、記憶部３７と、送受信部３８と、タイマ３９とが備えられている。
【００４１】
制御部３６は、情報制御部３６ａと、表示制御部３６ｂと、を備える。情報制御部３６ａは、リクエスト信号を受信した際のＩＤ情報の送信の制御、各スイッチ３２，３３,３４が押下操作された際の施錠又は解錠用の操作信号の送信の制御、及び施解錠情報を記憶部３７に記憶させる等の制御を行う。表示制御部３６ｂは、表示灯３５における表示を制御する。
【００４２】
記憶部３７には、電子キー固有のＩＤ情報を記憶するＩＤ記憶エリア３７ａと、施解錠情報を記憶する施解錠記憶エリア３７ｂとが備えられている。
【００４３】
送受信部３８には、通信装置２３から送信されるリクエスト信号や施解錠情報を受信するＬＦ受信部と、ＩＤ情報や施錠又は解錠用の操作信号を送信するＲＦ送信部とが備えられている（図示せず）。タイマ３９は、時間を計測する場合に用いられる。
【００４４】
電子キー３０は、コントローラ４１からの要求に応じてＩＤ情報を送信する。ここで、通信装置２３は、ＬＦアンテナによりリクエスト信号を所定の時間周期（例えば０．５秒ごとに）で送信するのに対し、電子キー３０は、通信装置２３の通信エリアＣＡに進入して、送受信部３８を通じてリクエスト信号を受信する。そして、電子キー３０は、そのリクエスト信号に応答してＩＤ情報を送受信部３８から通信装置２３に送信する。ＩＤ情報が通信装置２３により受信されると、当該ＩＤ情報が通信装置２３からコントローラ４１に入力される。コントローラ４１は、通信装置２３を介して電子キー３０からのＩＤ情報が入力されると、当該ＩＤ情報と予め記憶部４３に登録されたＩＤ情報との一致判定を行い、正規の電子キー３０であるか否かの認証を行う。
【００４５】
コントローラ４１には、施錠装置２１と、施解錠ボタン（タッチセンサ）１８とが接続されている。コントローラ４１には、施解錠ボタン１８から逐次検出結果が入力される。そして、上記ＩＤ情報によって電子キー３０が正規認証されている状況において、施解錠ボタン１８から（施解錠ボタン１８に人が接触した旨の）検出結果が入力されると、コントローラ４１は施錠装置２１の施錠又は解錠を行う。すなわち、施錠装置２１が施錠されている状態において施解錠ボタン１８からの検出結果が入力されると施錠装置２１を解錠し、施錠装置２１が解錠されている状態において施解錠ボタン１８から検出結果が入力されると施錠装置２１を施錠する。以下、電子キー３０の認証に基づき、施解錠ボタン１８を接触することにより施錠装置２１の施解錠を行うことを「スマート操作」と称する。電子キー３０が正規のものに該当しない場合には、施錠装置２１の施解錠は行われない。
【００４６】
本実施形態では、スマート操作により施錠装置２１が施解錠された場合、その施解錠状態（施錠状態又は解錠状態）が施解錠情報として通信装置２３を通じて電子キー３０に送信される。すなわち、通信エリアＣＡ内に存在する電子キー３０に対して、施解錠情報が送信される。電子キー３０側では、送受信部３８を通じて施解錠情報を受信し、情報制御部３６ａによりその受信した施解錠情報が施解錠記憶エリア３７ｂに記録される。
【００４７】
コントローラ４１は、電子キー３０から送信される施錠又は解錠用の操作信号を受信して、施錠装置２１を施解錠することもできる。電子キー３０は、確認スイッチ３４の押下操作後の所定時間内に、各スイッチ３２，３３を押下操作することにより施錠又は解錠用の操作信号を送信する。すなわち、確認スイッチ３４の押下操作後の所定時間内に施錠用の施錠スイッチ３２を押下操作することにより施錠用の操作信号を送信し、確認スイッチ３４の押下操作後の所定時間内に解錠用の解錠スイッチ３３が押下操作されることにより解錠用の操作信号を送信する。この際、電子キー３０が送信する施錠又は解錠用の操作信号には、電子キー３０のＩＤ情報も付加されている。
【００４８】
電子キー３０からの操作信号が通信装置２３に受信されると、ＩＤ情報の一致を条件として、その操作信号に基づいて施錠装置２１を施解錠する。なお、本明細書中、電子キー３０からの操作信号に基づいて施錠装置２１の施解錠を行うことを「リモート操作」と称する場合がある。リモート操作は、屋外側及び屋内側からのどちらからでも施錠装置２１を施解錠することができる。なお、このリモート操作の際の確認スイッチ３４は各スイッチ３２，３３の誤操作防止のための確認用のスイッチとして用いられている。
【００４９】
電子キー３０からの操作信号の送信可能範囲（すなわち、リモート操作可能な操作範囲）は、電子キー３０を中心とする球形の所定範囲であり、本実施形態においては電子キー３０を中心とする半径１０ｍほどである（図示略）。電子キー３０は、送受信部３８により操作信号を通信装置２３に送信する。
【００５０】
本実施形態では、電子キー３０が施錠又は解錠用の操作信号を送信した後、情報制御部３６ａは、その操作信号に基づき施錠装置２１の施解錠状態を施解錠情報として施解錠記憶エリア３７ｂに記録させる。
【００５１】
施解錠記憶エリア３７ｂでは、通信装置２３を通じて受信した施解錠情報（すなわち、スマート操作による施解錠に基づく施解錠情報）と、操作信号に基づく施解錠情報（すなわち、リモート操作による施解錠に基づく施解錠情報）とで識別されて記録される。そして、電子キー３０に設けられた確認スイッチ３４が所定時間内に２回連続して押下操作されると、表示制御部３６ｂにより、施解錠記憶エリア３７ｂに記録された施解錠情報のうち最新の施解錠情報が表示灯３５にて表示される。なお、この場合、確認スイッチ３４は施解錠情報を表示する際の操作スイッチとして用いられている。
【００５２】
表示灯３５は、赤色ＬＥＤ３５ａ、緑色ＬＥＤ３５ｂ及び橙色ＬＥＤ３５ｃの３色のＬＥＤで構成されている。表示灯３５は３色のＬＥＤ３５ａ，３５ｂ，３５ｃの点灯方法を表示制御部３６ｂにより制御されて、施解錠情報である施錠装置２１の施解錠状態をスマート操作とリモート操作とで識別して表示する。
【００５３】
コントローラ４１には、スピーカ２４が接続されている。スピーカ２４は、施錠装置２１がスマート操作により施解錠された場合に、その認証した電子キー３０の登録番号と、なされた施解錠処理とを報知する。
【００５４】
コントローラ４１には、施錠装置２１の施解錠状態を検出する施解錠検知センサ２２が接続されている。コントローラ４１には、施解錠検知センサ２２から逐次検出結果が入力される。施解錠検知センサ２２からの検出結果に基づいて、施錠装置２１の施解錠状態（施錠状態又は解錠状態）を判定する。
【００５５】
次に、スマート操作による施錠装置２１の施解錠におけるコントローラ４１の制御処理について、図３のフローチャートに基づいて説明する。
【００５６】
図３に示すように、ステップＳ１１では、通信装置２３を介して電子キー３０からのＩＤ情報を受信し、当該ＩＤ情報の認証処理の結果がＯＫだったか否かを判定する。認証ＯＫである場合にはステップＳ１１をＹＥＳ判定し、ステップＳ１２に進む。ＩＤ情報が受信されない場合、又は認証ＮＧである場合、本処理を終了する。
【００５７】
ステップＳ１２では、施解錠検知センサ２２からの検知結果に基づき、施錠装置２１が施錠状態であるか否かを判定する。施錠状態である場合は、ＹＥＳ判定してステップＳ１３へ進む。施錠状態でない場合、すなわち解錠状態である場合は、ＮＯ判定してステップＳ１７へ進む。
【００５８】
ステップＳ１３では、ドアハンドル１７に設けられた施解錠ボタン１８により接触が検出されたか否かを判定する。施解錠ボタン１８により接触が検出された場合、ＹＥＳ判定してステップＳ１４へ進む。施解錠ボタン１８により接触が検出されていない場合、ＮＯ判定して本処理を終了する。
【００５９】
ステップＳ１４では、施錠装置２１を解錠する。解錠後、ステップＳ１５へ進む。
【００６０】
ステップＳ１５では、ステップＳ１１で認証した電子キー３０のＩＤ情報に基づく登録番号と解錠処理がされたことをスピーカ２４により報知する。例えば、ＩＤ情報１２３４５６７８が認証されていた場合、「１番のキーにより解錠されました」と報知する。これにより、施錠装置２１の解錠操作を音声にて確認することができる。また例えば、複数の電子キー３０が玄関ドア１６付近に存在する状況においては、認証された電子キー３０がどれであるかが当該ステップＳ１５にて明確となる。スピーカ２４による報知後、ステップＳ１６に進む。
【００６１】
ステップＳ１６では、施錠装置２１の施解錠状態を示す施解錠情報（この場合は「解錠状態」）を、通信装置２３を通じて電子キー３０に送信する。施解錠情報の送信後、本処理を終了する。
【００６２】
ステップＳ１２でＮＯ判定してステップＳ１７へ進むと、ステップＳ１７では、ドアハンドル１７に設けられた施解錠ボタン１８により接触が検出されたか否かを判定する。施解錠ボタン１８により接触が検出された場合、ＹＥＳ判定してステップＳ１８へ進む。施解錠ボタン１８により接触が検出されていない場合、ＮＯ判定して本処理を終了する。
【００６３】
ステップＳ１８では、施錠装置２１を施錠する。すなわち、ステップＳ１２でＮＯ判定であることにより、施錠装置２１は解錠状態である。施錠装置２１が解錠状態である場合に、電子キー３０が認証されて施解錠ボタン１８により接触が検出されると、施錠装置２１は施錠される。施錠後、ステップＳ１９へ進む。
【００６４】
ステップＳ１９では、ステップＳ１１で認証した電子キー３０のＩＤ情報に基づく登録番号と施錠処理がされたことをスピーカ２４により報知する。例えば、ＩＤ情報４３２１４３２１が認証されていた場合、「２番のキーにより施錠されました」と報知する。これにより、施錠装置２１の施錠操作を音声にて確認することができる。また、その施錠操作がどの電子キー３０の認証に基づいて行われたか（自身の携帯する電子キー３０か否か）についても当該ステップＳ１９にて確認できる。スピーカ２４による報知後、ステップＳ２０に進む。
【００６５】
ステップＳ２０では、施錠装置２１の施解錠状態を示す施解錠情報（この場合は「施錠状態」）を、通信装置２３を通じて電子キー３０に送信する。施解錠情報の送信後、本処理を終了する。
【００６６】
以上のように、ＩＤ情報に基づき施錠装置２１が施解錠された場合、認証されたＩＤ情報に基づく登録番号がスピーカ２４により報知される（ステップＳ１５，Ｓ１９）。その後、ＩＤ情報を送信した電子キー３０に対して、施錠装置２１の施解錠状態を示す施解錠情報を送信する（ステップＳ１６、Ｓ２０）。
【００６７】
なお、リモート操作による施解錠の制御処理についてはフローチャートを省略する。リモート操作による施解錠は、通信装置２３を通じて施錠又は解錠用の操作信号を受信すると、ＩＤ情報の一致を条件として、操作信号に基づいて施錠装置２１が施解錠される。そして、施錠装置２１が施解錠後は処理を終了する。すなわち、リモート操作による施解錠においては、施錠装置２１の施解錠後に、電子キー３０に対して施解錠情報が送信されない。
【００６８】
次に、電子キー３０の制御部３６により実行される制御処理の内容について図４〜６に基づいて説明する。図４は、電子キー３０が通信エリアＣＡに進入した際に行われる制御処理の流れを示すフローチャートである。
【００６９】
図４に示すように、ステップＳ３１では、送受信部３８を通じてリクエスト信号を受信したか否かを判定する。リクエスト信号を受信した場合は、ＹＥＳ判定し、ステップＳ３２へ進む。リクエスト信号を受信していない場合は、ＮＯ判定して本処理を終了する。
【００７０】
ステップＳ３２では、送受信部３８よりＩＤ情報を送信する。ＩＤ情報の送信後、ステップＳ３３へ進む。
【００７１】
ステップＳ３３では、施解錠記憶エリア３７ｂに記憶された施解錠情報を削除する。すなわち、電子キー３０が通信エリアＣＡに進入してリクエスト信号を受信した場合（ステップＳ３１）、記憶されていた施解錠情報が削除される。ステップＳ３２でＩＤ情報を送信しているが、当該ＩＤ情報がコントローラ４１により受信されたかに関わらず、ステップＳ３３では施解錠情報が削除される。施解錠情報の削除後、ステップＳ３４へ進む。
【００７２】
ステップＳ３３により、通信エリアＣＡを進入するたびに、電子キー３０の施解錠情報が削除されることになる。例えば、複数の居住者が一緒に外出した場合、複数の電子キー３０についてそれぞれ施解錠情報が削除される。この場合、そのうちのひとつの電子キー３０が認証されて、施錠装置２１が施錠される。施錠装置２１が施錠されると、図３のステップＳ２０で示されたように、施解錠情報が電子キー３０へ送信される。
【００７３】
ステップＳ３４では、施解錠情報を受信したか否かを判定する。施解錠情報を受信した場合、ステップＳ３５へ進む。施解錠情報を受信していない場合、ＮＯ判定して本処理を終了する。
【００７４】
ここで、施解錠情報を受信した電子キー３０は、通信装置２３の通信エリアＣＡ内に存在していることを意味する。すなわち、通信エリアＣＡ内に存在し、施解錠情報を受信した場合であっても、認証された電子キー３０でない場合もありうる。施錠装置２１を施解錠する際に認証された電子キー３０である場合は、図３のステップＳ１５，Ｓ１９で、スピーカ２４により登録番号を報知される。自身の電子キー３０の登録番号が報知されなかった場合でも、通信エリアＣＡ内に電子キー３０が存在していれば、そのスマート操作の施解錠に関与したとして施解錠情報が受信される。
【００７５】
なお、ステップＳ３４で施解錠情報が受信されない場合は、通信装置２３の通信エリアＣＡ外に存在していることを意味する。よって、その電子キー３０はスマート操作による施錠装置２１の施解錠に関与していないことを意味する。
【００７６】
ステップＳ３５では、受信した施解錠情報を施解錠記憶エリア３７ｂに記録する。記録後、本処理を終了する。
【００７７】
ここで、電子キー３０が施解錠情報を受信する場合は、電子キー３０のＩＤ情報に基づき施錠装置２１が施解錠された場合である。すなわち、この際に送信される「施錠装置２１の施解錠状態を示す施解錠情報」の「施錠状態」とは「スマート操作により施錠された」ことと同義であり、「解錠状態」とは「スマート操作により解錠された」ことと同義である。したがって、ステップＳ３４で受信した施解錠情報（施解錠状態）は「スマート操作」による施解錠情報（施解錠状態）ともいえる。
【００７８】
次に、図５、図６に基づき、電子キー３０に設けられた確認スイッチ３４が押下操作された場合の制御処理について説明する。
【００７９】
ここで、確認スイッチ３４が押下操作された場合、（ａ）電子キー３０により施錠装置２１のリモート操作を行う、（ｂ）施錠装置２１の施解錠情報を確認する、のどちらかのために操作したと考えられる。
【００８０】
（ａ）は、リモート操作での施錠又は解錠のために、各スイッチ３２，３３の押下操作前に確認スイッチ３４が押された場合である。そのため、確認スイッチ３４の押下操作後、所定時間の経過前に、各スイッチ３２，３３が押下操作される。
【００８１】
（ｂ）の場合は、確認スイッチ３４を押下操作後に、所定時間の経過前に、再度、確認スイッチ３４が押下操作される。すなわち、所定時間内に、確認スイッチ３４が２度続けて押されることにより、（ｂ）の施解錠情報の確認のための操作と判断して、電子キー３０に設けられた表示灯３５の各ＬＥＤ３５ａ，３５ｂ，３５ｃが点滅又は点灯して、記録された施解錠情報が報知される。
【００８２】
以下、確認スイッチ３４の押下操作により実施される（ａ）及び（ｂ）について、図５、図６のフローチャートに基づいて説明する。
【００８３】
図５に示すように、ステップＳ４１では、確認スイッチ３４が押されたか否かを判定する。確認スイッチ３４が押された場合、ＹＥＳ判定してステップＳ４２へ進む。確認スイッチ３４が押されていない場合、ＮＯ判定して本処理を終了する。
【００８４】
ステップＳ４２では、タイマ３９をセットし、タイマ３９による計時を開始する。計時の開始後、ステップＳ４３へ進む。
【００８５】
ステップＳ４３では、確認スイッチ３４が押されたか否かを判定する。確認スイッチ３４が押された場合、ＹＥＳ判定してステップＳ５０へ進む。確認スイッチ３４が押されていない場合、ＮＯ判定してステップＳ４４へ進む。
【００８６】
ステップＳ５０では、施解錠情報の表示処理を実行する。ここで、ステップＳ４３で確認スイッチ３４が押された場合、ステップＳ４１の確認スイッチ３４が押されてから所定時間Ｔが経過する前に、確認スイッチ３４が再度押されたことを意味する。したがって、（ｂ）の施解錠情報の確認のための操作と判定され、施解錠情報の表示処理が実行される。
【００８７】
施解錠情報の表示処理では、図６に示すように、まず、ステップＳ５１で施解錠記憶エリア３７ｂに施解錠情報があるか否かを判定する。施解錠情報がある場合、ＹＥＳ判定してステップＳ５２へ進む。施解錠情報がない場合、ＮＯ判定してステップＳ５９へ進む。
【００８８】
ステップＳ５９では、施解錠情報はないとして、橙色ＬＥＤ３５ｃを点滅させる。橙色ＬＥＤ３５ｃを点滅後、ステップＳ６０へ進む。
【００８９】
ステップＳ６０では、タイマ３９により計時して点滅又は点灯を１０秒間継続させた後、各ＬＥＤ３５ａ，３５ｂ，３５ｃを消灯する。消灯後、施解錠情報の表示処理を終了する。
【００９０】
ステップＳ５２では、施解錠記憶エリア３７ｂに記録された施解錠情報がスマート操作による施錠か否かを判定する。ここで、「スマート操作による施錠」とは、電子キー３０が施解錠記憶エリア３７ｂに記憶する最新の施解錠情報が、通信装置２３を通じて受信した「施錠状態」であることを意味する。スマート操作による施錠の場合、ＹＥＳ判定してステップＳ５３へ進む。スマート操作による施錠でない場合、ＮＯ判定してステップＳ５４へ進む。
【００９１】
ステップＳ５３では、緑色ＬＥＤ３５ｂを点灯する。点灯後、ステップＳ６０へ進む。
【００９２】
ステップＳ５４では、施解錠記憶エリア３７ｂに記録された施解錠情報がスマート操作による解錠か否かを判定する。ここで、「スマート操作による解錠」とは、電子キー３０が施解錠記憶エリア３７ｂに記憶する最新の施解錠情報が、通信装置２３を通じて受信した「解錠状態」であることを意味する。スマート操作による解錠の場合、ＹＥＳ判定してステップＳ５５へ進む。スマート操作による解錠でない場合、ＮＯ判定してステップＳ５６へ進む。
【００９３】
ステップＳ５５では、赤色ＬＥＤ３５ａを点灯する。点灯後、ステップＳ６０へ進む。
【００９４】
ステップＳ５６では、施解錠記憶エリア３７ｂに記録された施解錠情報がリモート操作による施錠か否かを判定する。ここで、「リモート操作による施錠」とは、電子キー３０が施解錠記憶エリア３７ｂに記憶する最新の施解錠情報が、施錠用の操作信号の送信に基づく「施錠状態」であることを意味する。リモート操作による施錠の場合、ＹＥＳ判定してステップＳ５７へ進む。リモート操作による施錠でない場合、すなわちリモート操作による解錠である場合は、ステップＳ５６をＮＯ判定してステップＳ５８へ進む。
【００９５】
ステップＳ５７では、緑色ＬＥＤ３５ｂと橙色ＬＥＤ３５ｃとを交互に点滅させる。点滅後、ステップＳ６０へ進む。
【００９６】
ステップＳ５８では、赤色ＬＥＤ３５ａと橙色ＬＥＤ３５ｃとを交互に点滅させる。ここで、ステップＳ５６をＮＯ判定したことにより、施解錠情報は「リモート操作による解錠」（すなわち、解錠用の操作信号の送信に基づく「解錠状態」）であると判断される。そして、ステップＳ５８でリモート操作による解錠を示す表示として、赤色ＬＥＤ３５ａと橙色ＬＥＤ３５ｃとを点滅後、ステップＳ６０へ進む。
【００９７】
ステップＳ６０で各ＬＥＤ３５ａ，３５ｂ，３５ｃを消灯した後は、施解錠情報の表示処理を終了する。すなわち、図５に戻り、本処理を終了する。以上のように、電子キー３０側では、施解錠情報として、施錠装置２１の施解錠処理後の施解錠状態（施錠状態又は解錠状態）と、その施解錠操作がスマート操作又はリモート操作によるものかについて、表示灯３５の色と点灯方法とで識別できるように表示される。
【００９８】
図５の説明に戻り、ステップＳ４３でＮＯ判定した場合は、ステップＳ４４で、施錠スイッチ３２が押されたか否かを判定する。施錠スイッチ３２が押された場合、ＹＥＳ判定して、ステップＳ４５へ進む。施錠スイッチ３２が押されていない場合、ＮＯ判定して、ステップＳ４６へ進む。
【００９９】
ステップＳ４５では、施錠用の操作信号を送信する。操作信号の送信後、ステップＳ４９へ進む。
【０１００】
ステップＳ４６では、解錠スイッチ３３が押されたか否かを判定する。解錠スイッチ３３が押された場合、ＹＥＳ判定して、ステップＳ４７へ進む。解錠スイッチ３３が押されていない場合、ＮＯ判定して、ステップＳ４８へ進む。
【０１０１】
ステップＳ４７では、解錠用の操作信号を送信する。操作信号の送信後、ステップＳ４９へ進む。
【０１０２】
ステップＳ４８では、タイマ３９による計時開始からの経過時間が所定時間Ｔを超えたか否かを判定する。つまり、ここでは、ステップＳ４１の確認スイッチ３４が押されてから所定時間Ｔが経過したか否かを判定する。所定時間Ｔは、例えば２秒程度に設定されている。ステップＳ４１の確認スイッチ３４が押されてから所定時間Ｔが経過した場合にはＹＥＳ判定して本処理を終了する。ステップＳ４１の確認スイッチ３４が押されてから所定時間Ｔが経過していない場合には、ＮＯ判定してステップＳ４３へ戻り、各処理を繰り返す。
【０１０３】
ステップＳ４９では、施解錠情報を更新する。ここでは、電子キー３０は施錠又は解錠用の操作信号を送信したため、リモート操作が実施されたとして、「リモート操作による施解錠」として施解錠情報（施解錠状態）が記録される。例えば、ステップＳ４５からステップＳ４９へと進んだ場合は、「施錠用の操作信号の送信」に基づいて「リモート操作による施錠」、ステップＳ４７からステップＳ４９へと進んだ場合は、「解錠用の操作信号の送信」に基づいて「リモート操作による解錠」として記録される。この際、以前の施解錠情報は削除し、新たな施解錠情報を記録することで、施解錠情報が更新される。記録後、本処理を終了する。
【０１０４】
ここで、リモート操作による施解錠情報については、電子キー３０が操作信号を送信したことに基づく。そのため、施錠装置２１側（通信装置２３）が電子キー３０からの操作信号を受信したかどうかは反映されていない。本実施形態では、リモート操作による施錠装置２１の施解錠は単方向通信であるため、単方向通信において可能な範囲における施解錠情報が記録される。すなわち、リモート操作による施解錠情報では、確認スイッチ３４の押下操作後に各スイッチ３２，３３が押下操作されたこと、換言すれば、リモート操作が確実に行われ、操作信号が送信されたことが確認できる。
【０１０５】
以上、詳述した本実施形態の構成によれば、以下の優れた効果が得られる。
【０１０６】
本実施形態によれば、施錠装置２１はスマート操作とリモート操作とにより施解錠が可能である。そして、そのどちらによって施解錠されたかを電子キー３０側で施解錠情報として表示灯３５に表示させて確認することができる。スマート操作による施解錠の場合は、施解錠後に施解錠情報として施錠装置２１の施解錠状態が、通信装置２３を通じて電子キー３０に送信され、電子キー３０は受信した施解錠情報を記録する。リモート操作による施解錠の場合は、送信した施錠又は解錠用の操作信号に基づいた施錠装置２１の施解錠状態が施解錠情報として電子キー３０に記録される。そして、電子キー３０において表示される施解錠情報は、スマート操作による施解錠で受信した「施錠装置の施解錠状態」と、リモート操作による施解錠で操作信号により判断された「施錠装置の施解錠状態」とで識別されて表示される。
【０１０７】
スマート操作による施解錠は、電子キー３０を携帯する居住者の行う操作が簡易であるため「施錠した」という感覚が希薄である。そのため、外出先で自身が外出する際に施錠を行ったかどうか不安に感じる場合がある。このような場合において、本実施形態によれば、電子キー３０側で施錠装置２１の施解錠状態が確認できる。例えば「施錠状態」と表示されていれば、居住者は安心を得ることができるし、「解錠状態」と表示されていれば、他の居住者に施錠装置２１の施解錠状態について確認を求めることができる。
【０１０８】
本実施形態によれば、リモート操作により施錠装置２１が施解錠された場合、電子キー３０側で、操作信号に基づいた施錠装置２１の施解錠状態が表示でき、これにより居住者にとってはリモート操作による操作を確実に行ったことが確認できる。すなわち、例えば、各スイッチ３２，３３，３４の操作ミスにより操作信号が送信されなかった場合などが判断できる。
【０１０９】
また、電子キー３０は、送信した操作信号に基づいて施錠装置２１の施解錠状態を判断する。よって、施錠装置２１側は、リモート操作により操作信号を送信した離れた場所にいる電子キー３０へ施解錠情報として施錠装置２１の施解錠状態を送信する必要がない。換言すれば、リモート操作可能な操作範囲（約１０ｍ）において電子キー３０と通信装置２３とが双方向通信である必要がない。よって、本実施形態によれば、スマート操作による施解錠システムにおいて、新たな設備を導入することなく、リモート操作による施解錠についても電子キー側で確認することができる。
【０１１０】
例えば、居住者が意図せずに電子キー３０を誤って操作してしまい、リモート操作による解錠操作を行う場合がある。このような場合、自身が関与したと認識する施解錠（例えば、スマート操作による「施錠状態」）と、電子キー３０に表示される施解錠情報（この場合は、リモート操作による「解錠状態」）とが異なる。そのため、居住者が電子キー３０に表示される施解錠情報を確認することで、電子キー３０の誤操作に気付くことができる。これにより、その居住者は、在宅する居住者等の他の居住者に施解錠状態について連絡を取る等の行動をとることができ、防犯性に優れる。
【０１１１】
複数の居住者らがそれぞれ電子キー３０を携帯して同時に外出しようとした場合、通信エリアＣＡ内に複数の電子キー３０が存在することがありうる。このような場合、複数のうち、ひとつの電子キー３０についてのみ認証が実施され、その認証に基づき施錠装置２１が施錠される。よって、その他の電子キー３０は認証されておらず、施錠装置２１の施錠に関与していない。このような場合に、どの電子キー３０が認証されたのかについて、その場にいる居住者らはこれまで知ることができなかった。
【０１１２】
本実施形態によれば、複数の電子キー３０のうち認証された電子キー３０を特定する。そうして特定された電子キー３０は、出入口付近に設けられたスピーカ２４により報知される。そのため、出入口付近にいる居住者は、認証された電子キー３０がどれであるのか（換言すれば、どの居住者の携帯する電子キー３０であるのか）を知ることができる。
【０１１３】
本実施形態によれば、施錠装置２１が電子キー３０の認証（識別情報）に基づいて施錠された後、施錠装置２１の施解錠状態を示す施解錠情報が送信される。この際、通信エリアＣＡ内にいる電子キー３０は施解錠情報を受信できる。したがって、認証された電子キー３０でなくとも施解錠情報は受信できるが、居住者らはそれぞれが携帯する電子キー３０が通信エリアＣＡ内に存在するか否かは判断できないため、その最新の施解錠情報を電子キー３０が受信できたのか否かも判断できない。
【０１１４】
スピーカ２４により報知された電子キー３０は、通信エリアＣＡ内に存在しているため最新の施解錠情報を受信し、確認スイッチ３４による２回連続の押下操作により最新の施解錠情報を表示灯３５にて表示できる。すなわち、本実施形態によれば、最新の施解錠情報を確実に受信した電子キー３０が特定できる。
【０１１５】
これにより、報知された電子キー３０を携帯する居住者が外出先で施錠装置２１の施錠忘れを不安に思った場合に、自身の電子キー３０の確認スイッチ３４を操作して、施錠したこと（施錠状態か否か）を確認することができる。例えば、自身の電子キー３０は報知（認証）されず、他の居住者の携帯する電子キー３０が報知された場合は、その報知に基づいて外出先から他の居住者に確認を求めることもできる。
【０１１６】
また、例えば、居住者が１人で外出しようとして屋外側よりスマート操作により施錠したところ、自身の携帯する電子キー３０ではない電子キー３０の登録番号が報知された場合は、玄関部１１に置き忘れの電子キー３０が存在していることが示唆される。この場合は、防犯面で問題があるため、建物１０内にいる居住者に知らせたりする等の対応をとることができる。
【０１１７】
スマート操作による施解錠は、施解錠ボタン１８の接触のみで実施される。そのため、屋外側から施解錠する居住者は、スマート操作による施解錠のうちどちらが行われたかは状況により判断するのみで、実際の施解錠状況は知ることができなかった。本実施形態によれば、スマート操作により施解錠された場合、スピーカ２４より電子キー３０の登録番号とともに、施解錠処理について報知される。これにより、スマート操作による施解錠のうちどちらが行われたかを確実に知ることができ、例えば外出するために施錠した場合、施錠処理がなされたことを確認できて安心である。
【０１１８】
本実施形態によれば、電子キー３０によりリモート操作を行う際、各スイッチ３２，３３を操作しただけでは施錠又は解錠用の操作信号が送信されず、確認スイッチ３４を押した後に、所定時間内に各スイッチ３２，３３を押すことで、施錠又は解錠用の操作信号が送信される。電子キー３０のリモート操作は、遠隔から施錠装置２１の施解錠を行うことができるため利便性に優れるが、その一方で気づかぬうちに各スイッチ３２，３３を操作する操作ミスをして、意図せず施錠装置２１が解錠されるおそれがある。本実施形態によれば、施錠装置２１をリモート操作するためには２つの段階を経る（２つの手段を操作する）ことが必要であるため、そのような操作ミスが生じにくい。すなわち、確認スイッチ３４は、誤操作防止の役割を果たしている。これにより、誤操作が防止され、防犯性に優れる。
【０１１９】
本実施形態によれば、電子キー３０に設けられた確認スイッチ３４が、施解錠情報を表示するためのスイッチと、リモート操作を行う際の誤操作防止のためのスイッチとして兼用される。ここで、施解錠情報を表示するためのスイッチとしては、施錠又は解錠の操作信号を送信する各スイッチ３２，３３とは異なり、直接的に施錠装置２１の施解錠に関与しない。すなわち、施解錠情報を表示するためのスイッチは、例えば誤操作されたとしてもリモート操作による施解錠は行われず、防犯性に問題を生じない操作スイッチである。
【０１２０】
よって、本実施形態によれば、確認スイッチ３４に、施解錠情報を表示するためのスイッチとしてだけでなく、誤操作防止のためのスイッチとして新たな機能を付与することで、電子キー３０において新たなスペースを必要とせずに、リモート操作による施解錠の防犯性をさらに高めることができる。
【０１２１】
また、確認スイッチ３４が２つの機能を有することで、電子キー３０に設けられる操作スイッチの数を減らすことができるため、その分、他の操作スイッチ（例えば、施錠スイッチ３２、解錠スイッチ３３）のスペースが確保しやすく、判別しやすい操作スイッチの構成とすることができる。よって、電子キー３０における作業性及び視認性を向上することができ、結果として各スイッチ３２，３３，３４の誤操作も抑制できる。
【０１２２】
本発明は上記実施形態に限らず、例えば次のように実施されてもよい。
【０１２３】
（１）上記実施形態では、電子キー３０を送信側とする単方向通信にＵＨＦ帯の電波を用いているが、これに制限されず、他の電波により単方向通信を行ってもよい。
【０１２４】
（２）上記実施形態では、スマート操作において、通信エリアＣＡ内に存在する電子キー３０に施解錠情報を送信しているが（図３のステップＳ１６，Ｓ２０）、例えば、通信エリア内に複数の電子キー３０が存在する場合、認証した電子キー３０のみを対象として施解錠情報を送信してもよい。この場合においては、その電子キー３０が認証されてスマート操作により施解錠した場合と、リモート操作により操作信号を送信した場合とが、施解錠情報として表示されることになる。
【０１２５】
（３）上記実施形態では、認証した電子キー３０の登録番号がスピーカ２４により音声で報知されるが、報知する方法は制限されず、例えば、複数の電子キー３０を電子キー３０ごとに識別して報知できるのであれば表示灯やディスプレイでもよい。例えば表示灯の場合では、表示灯の色や点灯方法等で、ＩＤ情報ごとに識別できるように設定し、認証した電子キー３０に割り当てられた色、点灯方法で表示灯が点灯されて報知される。
【０１２６】
（４）上記実施形態では、電子キー３０がリクエスト信号を受信した場合、施解錠記憶エリア３７ｂの施解錠情報を削除しているが（図５、ステップＳ３３）、施解錠情報は必ずしも削除しなくてもよい。例えば、その電子キー３０において新たなリモート操作又はスマート操作による施解錠情報を得た場合に、施解錠情報を更新してもよいし、施解錠情報を一定期間又は一定の数だけ保存するようにしてもよい。
【０１２７】
または、例えば、図４のステップＳ３３の代わりに、施解錠情報のリセット操作を別のタイミングで設けてもよい。例えば、帰宅した際に屋内側からサムターン部２１ａを手動で施錠した場合、施解錠検知センサ２２により施錠されたことが検知される。この場合、コントローラ４１は、当該施錠がリモート操作及びスマート操作による施錠でないことが判断できる。同様に、外出する際に屋内側からサムターン部２１ａを手動で解錠した場合、当該解錠がリモート操作及びスマート操作による解錠でないことが判断できる。したがって、このような場合のどちらかにおいて、施解錠情報をリセットする信号が通信装置２３を通じて送信されるようにしてもよい。
【０１２８】
（５）上記実施形態では、確認スイッチ３４を所定時間内に２回押されることで施解錠情報が表示灯３５にて表示される構成となっているが、例えば、確認スイッチ３４の長押しにより、又は確認スイッチ３４を１回押すのみで、施解錠情報を表示灯３５にて表示してもよい。確認スイッチ３４を１回押すのみで表示する場合は、表示灯３５にて表示されている状態において、所定時間内に施錠スイッチ３２又は解錠スイッチ３３が押された場合、施解錠情報の表示をキャンセルし、施錠又は解錠用の操作信号を送信すればよい。
【０１２９】
（６）上記実施形態では、電子キー３０に設けられた確認スイッチ３４は、リモート操作をする前の確認用のスイッチと、施解錠情報を表示させるためのスイッチと、の２つの役割を果たしているが、例えば、これらを別々に２つ設けてもよい。
【０１３０】
（７）上記実施形態では、確認スイッチ３４を押した後に所定時間内に施錠スイッチ３２又は解錠スイッチ３３が押されることで、施錠又は解錠用の操作信号が送信される構成としたが、例えば、施錠スイッチ３２又は解錠スイッチ３３を押した後に所定時間内に確認スイッチ３４が押されることで施錠又は解錠用の操作信号が送信される構成としてもよい。この場合においても、リモート操作をする前の確認用のスイッチとしての役割を果たすことができる。
【０１３１】
（８）上記実施形態では、電子キー３０が正規認証されている状況において、ドアハンドル１７に設けられた施解錠ボタン１８に対する接触が検出されると施錠装置２１が施解錠される。換言すれば、施解錠ボタン１８による検出が、施錠装置２１の施錠又は解錠のスイッチとして機能しているが、当該施錠装置２１の施錠又は解錠のスイッチとして機能できるものであれば、ドアハンドル１７、施解錠ボタン１８は必須の構成ではない。
【０１３２】
例えば、施解錠ボタン１８の代わりに、ドアハンドル１７の一部にタッチセンサを内蔵し、当該タッチセンサにより接触が検出されることで施錠又は解錠のスイッチとしてもよい。また、施解錠ボタン１８は、玄関ドア１６の屋外側の面や、玄関口１５の設けられた壁の屋外側の面等に設けてもよい。
【０１３３】
（９）上記実施形態では、玄関ドア１６に施錠装置２１をひとつ設けたが、施錠装置２１だけでなく、複数の施錠装置を玄関ドア１６に設けてもよい。この場合、電子キー３０が正規認証されている状況であれば、施解錠ボタン１８の接触、及び電子キー３０に設けられた各スイッチ３２，３３，３４の押下操作により行われる施錠装置２１の施解錠に連動して、その他の設けられた施錠装置を施解錠すればよい。
【０１３４】
（１０）上記実施形態では、玄関口１５に設けられた玄関ドア１６に本発明の施解錠システムを適用したが、例えば勝手口に設けられたドア等、他の出入口に設けられたドア（出入口扉）に本発明の施解錠システムを適用してもよい。
【０１３５】
また、上記実施形態では住宅用の施解錠システムとして説明したが、本発明の施解錠システムは住宅用に制限されず、例えば車両、商業ビル、倉庫等の出入口が設けられたドアに本発明の施解錠システムを適用してもよい。
【符号の説明】
【０１３６】
１０…建物、１５…出入口としての玄関口、１６…開閉体としての玄関ドア、２１…施錠装置、２３…通信装置、２４…報知手段としてのスピーカ、３０…電子キー、３１…操作部、３２…施錠スイッチ、３３…解錠スイッチ、３４…キー表示操作手段としての確認スイッチ、３５…キー表示手段としての表示灯、３６…キー制御手段としての制御部、３６ａ…キー情報制御手段としての情報制御部、３６ｂ…キー表示制御手段としての表示制御部、３７…キー記憶手段としての記憶部、３７ａ…ＩＤ記憶エリア、３７ｂ…施解錠記憶エリア、３８…送受信部、４１…コントローラ、４２…制御部、４３…記憶部、ＣＡ…通信エリア。
【図１】
2019157413.tif 000003
【図２】
2019157413.tif 000004
【図３】
2019157413.tif 000005
【図４】
2019157413.tif 000006
【図５】
2019157413.tif 000007
【図６】
2019157413.tif 000008